【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
方法であって、
アクセス・ポイントから、第１のネットワーク・シグナル値および第２のネットワーク・シグナル値を受信することと、
前記第１のネットワーク・シグナル値または前記第２のネットワーク・シグナル値を優先度に応じて利用することと、ここで、前記第１のネットワーク・シグナル値は、必須の値であり、前記第２のネットワーク・シグナル値は、オプションの値である、
シグナリング構造における前記第１および第２のネットワーク・シグナル値の順序に基づいて前記第２のネットワーク・シグナル値に関連付けられた優先度を決定することと、ここで、前記優先度は、前記シグナリング構造において暗黙的である、
を備える方法。
【請求項２】
前記利用することは、前記第２のネットワーク・シグナル値を、前記第１のネットワーク・シグナル値とともに、または、代わりに利用することを備える、請求項１に記載の方法。
【請求項３】
前記第２のネットワーク・シグナル値を利用することは、前記第２のネットワーク・シグナル値を、前記第１のネットワーク・シグナル値よりも高く優先度付けることを備える、請求項２に記載の方法。
【請求項４】
前記第２のネットワーク・シグナル値を利用する前に、前記第１のネットワーク・シグナル値がサポートされていないことを判定することをさらに備える、請求項２に記載の方法。
【請求項５】
受信された複数のオプション・ネットワーク・シグナル値から、前記優先度に基づいて、前記第２のネットワーク・シグナル値を選択することをさらに備える、請求項１に記載の方法。
【請求項６】
前記決定することは、前記優先度を、シグナルされた優先度値から決定することを備える、請求項１に記載の方法。
【請求項７】
前記受信された複数のオプション・ネットワーク・シグナル値は、サポートされている第２のネットワーク・シグナル値のセットを備える、請求項５に記載の方法。
【請求項８】
前記第２のネットワーク・シグナル値は、付加的な、オプションの、スペクトル・エミッション・マスク（ＳＥＭ）に関連する、請求項１に記載の方法。
【請求項９】
通信装置であって、
アクセス・ポイントから、第１のネットワーク・シグナル値および第２のネットワーク・シグナル値を取得することと、
通信ネットワークにおける通信のために、前記第１のネットワーク・シグナル値または前記第２のネットワーク・シグナル値を、優先度に応じて適用することと、ここで、前記第１のネットワーク・シグナル値は、必須の値であり、前記第２のネットワーク・シグナル値は、オプションの値である、シグナリング構造における前記第１および第２のネットワーク・シグナル値の順序に基づいて前記第２のネットワーク・シグナル値に関連付けられた優先度を決定することと、ここで、前記優先度は、前記シグナリング構造において暗黙的である、に関連する命令群を保持するメモリと、
前記メモリに接続され、前記メモリに保持された命令群を実行するように構成されたプロセッサと、
を備える通信装置。
【請求項１０】
前記メモリはさらに、前記第２のネットワーク・シグナル値を、前記第１のネットワーク・シグナル値の代わりとして利用することに関連する命令群を保持する、請求項９に記載の通信装置。
【請求項１１】
前記メモリはさらに、前記第２のネットワーク・シグナル値に、前記第１のネットワーク・シグナル値よりも高い優先度を割り当てることに関連する命令群を保持する、請求項１０に記載の通信装置。
【請求項１２】
前記メモリはさらに、前記第１のネットワーク・シグナル値がサポートされていない場合、前記第２のネットワーク・シグナル値を利用することに関連する命令群を保持する、請求項１０に記載の通信装置。
【請求項１３】
前記メモリはさらに、
受信された複数のオプション・ネットワーク・シグナル値から、前記優先度に基づいて、前記第２のネットワーク・シグナル値を選択すること、ここで、前記受信された複数のオプション・ネットワーク・シグナル値は、サポートされている第２のネットワーク・シグナル値のセットを備える、に関連する命令群を保持する、請求項９に記載の通信装置。
【請求項１４】
前記メモリはさらに、前記優先度を、シグナルされた優先度値に基づいて決定することに関連する命令群を保持する、請求項９に記載の通信装置。
【請求項１５】
オプション・システム・パラメータ値をサポートする通信装置であって、
アクセス・ポイントから、第１のネットワーク・シグナル値および第２のネットワーク・シグナル値を受信する手段と、
前記第１のネットワーク・シグナル値または前記第２のネットワーク・シグナル値を、優先度に応じて利用する手段と、ここで、前記第１のネットワーク・シグナル値は、必須の値であり、前記第２のネットワーク・シグナル値は、オプションの値であり、前記第２のネットワーク・シグナル値は、前記第１のネットワーク・シグナル値よりも高い優先度が割り当てられる、
シグナリング構造における前記第１および第２のネットワーク・シグナル値の順序に基づいて前記第２のネットワーク・シグナル値に関連付けられた優先度を決定する手段と、ここで、前記優先度は、前記シグナリング構造において暗黙的である、
を備える通信装置。
【請求項１６】
前記利用する手段は、前記第１のネットワーク・シグナル値の代わりに、前記第２のネットワーク・シグナル値を用いる手段を備える、請求項１５に記載の通信装置。
【請求項１７】
受信された複数のオプション・ネットワーク・シグナル値から、前記優先度に基づいて、前記第２のネットワーク・シグナル値を選択する手段をさらに備え、
前記受信された複数のオプション・ネットワーク・シグナル値は、サポートされている第２のネットワーク・シグナル値のセットを備える、請求項１５に記載の通信装置。
【請求項１８】
前記決定する手段は、前記優先度を、シグナルされた優先度値から決定する手段を備える、請求項１５に記載の通信装置。
【請求項１９】
コンピュータに対して、アクセス・ポイントから、第１のネットワーク・シグナル値および第２のネットワーク・シグナル値を取得させるための第１のコードのセットと、
前記コンピュータに対して、優先度に応じて、前記第１のネットワーク・シグナル値または前記第２のネットワーク・シグナル値を適用させるための第２のコードのセットと、ここで、前記第１のネットワーク・シグナル値は、必須の値であり、前記第２のネットワーク・シグナル値は、オプションの値である、
前記コンピュータに対して、シグナリング構造における前記第１および第２のネットワーク・シグナル値の順序に基づいて前記第２のネットワーク・シグナル値に関連付けられた優先度を決定させるための第３のコードのセットと、ここで、前記優先度は、前記シグナリング構造において暗黙的である、を備える、非一時的なコンピュータ読取可能な媒体を備えるコンピュータ・プログラム製品。
【請求項２０】
前記非一時的なコンピュータ読取可能な媒体は、前記コンピュータに対して、前記第１のネットワーク・シグナル値とともに、または、その代わりに、前記第２のネットワーク・シグナル値を利用させるための第４のコードのセットをさらに備える、請求項１９に記載のコンピュータ・プログラム製品。
【請求項２１】
前記非一時的なコンピュータ読取可能な媒体は、前記コンピュータに対して、サポートされている第２のネットワーク・シグナル値のセットを備える受信された複数のオプション・ネットワーク・シグナル値から、前記優先度に基づいて、前記第２のネットワーク・シグナル値を選択させるための第４のコード・セットをさらに備える、請求項１９に記載のコンピュータ・プログラム製品。
【請求項２２】
方法であって、
第１のネットワーク・シグナル値および第２のネットワーク・シグナル値を生成することと、
前記第１のネットワーク・シグナル値および前記第２のネットワーク・シグナル値を、少なくとも１つのモバイル・デバイスへ送信することと、ここで、前記第１のネットワーク・シグナル値は、必須の値であり、前記第２のネットワーク・シグナル値は、オプションの値である、
メッセージ構造における前記第１および第２のネットワーク・シグナル値の順序に基づいて前記第２のネットワーク・シグナル値に関連する優先度を定義することと、ここで、前記優先度は、前記メッセージ構造において暗黙的である、
を備える方法。
【請求項２３】
前記生成することは、
複数のモバイル・デバイスのために前記第１のネットワーク・シグナル値を生成することと、
前記複数のモバイル・デバイスのサブセットのために前記第２のネットワーク・シグナル値を生成することとを備える、請求項２２に記載の方法。
【請求項２４】
前記第１のネットワーク・シグナル値が、モバイル・デバイスの第１のセットによってサポートされていることと、前記第２のネットワーク・シグナル値が、モバイル・デバイスの第２のセットによってサポートされていることとを判定することをさらに備え、
前記送信することは、前記モバイル・デバイスの第１のセットと、前記モバイル・デバイスの第２のセットとを備える複数のモバイル・デバイスへ、前記第１のネットワーク・シグナル値と前記第２のネットワーク・シグナル値とを送信することを備える、請求項２２に記載の方法。
【請求項２５】
前記少なくとも１つのモバイル・デバイスへ前記優先度を送信することをさらに備える、請求項２２に記載の方法。
【請求項２６】
前記定義することは、前記第１のネットワーク・シグナル値に割り当てられた優先度よりも高い優先度を、前記第２のネットワーク・シグナル値に割り当てることを備える、請求項２２に記載の方法。
【請求項２７】
少なくとも第３のネットワーク・シグナル値を、前記少なくとも１つのモバイル・デバイスへ伝送することをさらに備える、請求項２２に記載の方法。
【請求項２８】
前記第２のネットワーク・シグナル値は、付加的な、オプションの、スペクトル・エミッション・マスク（ＳＥＭ）に関連する、請求項２２に記載の方法。
【請求項２９】
通信装置であって、
第１のネットワーク・シグナル値および第２のネットワーク・シグナル値を生成することと、
前記第１のネットワーク・シグナル値および前記第２のネットワーク・シグナル値を、少なくとも１つのモバイル・デバイスへ送信することと、ここで、前記第１のネットワーク・シグナル値は、必須の値であり、前記第２のネットワーク・シグナル値は、オプションの値である、メッセージ構造における前記第１および第２のネットワーク・シグナル値の順序に基づいて前記第２のネットワーク・シグナル値に関連付けられた優先度を定義することと、ここで、前記優先度は、前記メッセージ構造において暗黙的である、に関連する命令群を保持するメモリと、
前記メモリに接続され、前記メモリに保持された命令群を実行するように構成されたプロセッサと
を備える通信装置。
【請求項３０】
前記メモリはさらに、
複数のモバイル・デバイスのために前記第１のネットワーク・シグナル値を生成することと、
前記複数のモバイル・デバイスのサブセットのために前記第２のネットワーク・シグナル値を生成することと、に関連する命令群を保持する、請求項２９に記載の通信装置。
【請求項３１】
前記メモリはさらに、前記少なくとも１つのモバイル・デバイスへ前記優先度を送信することに関連する命令群を保持する、請求項２９に記載の通信装置。
【請求項３２】
前記メモリはさらに、前記第１のネットワーク・シグナル値に割り当てられた優先度よりも高い優先度を、前記第２のネットワーク・シグナル値に割り当てることに関連する命令群を保持する、請求項２９に記載の通信装置。
【請求項３３】
前記メモリはさらに、少なくとも第３のネットワーク・シグナル値を、前記少なくとも１つのモバイル・デバイスへ伝送することに関連する命令群を保持する、請求項３０に記載の通信装置。
【請求項３４】
オプション・システム・パラメータ値をサポートする通信装置であって、
第１のネットワーク・シグナル値および第２のネットワーク・シグナル値を生成する手段と、
前記第１のネットワーク・シグナル値および前記第２のネットワーク・シグナル値を、少なくとも１つのモバイル・デバイスへ送信する手段と、ここで、前記第１のネットワーク・シグナル値は、必須の値であり、前記第２のネットワーク・シグナル値は、オプションの値である、
メッセージ構造における前記第１および第２のネットワーク・シグナル値の順序に基づいて前記第２のネットワーク・シグナル値に関連する優先度を定義する手段と、ここで、前記優先度は、前記メッセージ構造において暗黙的である、
を備える通信装置。
【請求項３５】
前記生成する手段は、複数のモバイル・デバイスのための前記第１のネットワーク・シグナル値と、前記複数のモバイル・デバイスのサブセットのための前記第２のネットワーク・シグナル値とを生成する手段を備える、請求項３４に記載の通信装置。
【請求項３６】
前記少なくとも１つのモバイル・デバイスへ前記優先度を送信する手段をさらに備える、請求項３４に記載の通信装置。
【請求項３７】
コンピュータに対して、第１のネットワーク・シグナル値および第２のネットワーク・シグナル値を生成させるための第１のコードのセットと、
前記コンピュータに対して、前記第１のネットワーク・シグナル値および前記第２のネットワーク・シグナル値を、少なくとも１つのモバイル・デバイスへ送信させるための第２のコードのセットと、ここで、前記第１のネットワーク・シグナル値は、必須の値であり、前記第２のネットワーク・シグナル値は、オプションの値である、
前記コンピュータに対して、メッセージ構造における前記第１および第２のネットワーク・シグナル値の順序に基づいて前記第２のネットワーク・シグナル値に関連する優先度を定義させるための第３のコードのセットと、ここで、前記優先度は、前記メッセージ構造において暗黙的である、
を備える、非一時的なコンピュータ読取可能な媒体を備えるコンピュータ・プログラム製品。
【請求項３８】
前記非一時的なコンピュータ読取可能な媒体は、前記コンピュータに対して、複数のモバイル・デバイスのために前記第１のネットワーク・シグナル値を生成させ、前記複数のモバイル・デバイスのサブセットのために前記第２のネットワーク・シグナル値を生成させるための第４のコードのセットをさらに備える、請求項３７に記載のコンピュータ・プログラム製品。
【請求項３９】
前記非一時的なコンピュータ読取可能な媒体は、前記コンピュータに対して、前記少なくとも１つのモバイル・デバイスへ前記優先度を送信させるための第４のコードのセットをさらに備える、請求項３７に記載のコンピュータ・プログラム製品。